【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
少なくとも１つの磁気抵抗読取ヘッドからの読取信号のひずみを軽減する装置であって、前記読取信号が、アナログ読取信号をディジタルに変換する少なくとも１つのアナログ−ディジタル変換器と入力および出力を有する少なくとも１つのディジタル等化器とを有する読取チャネルに供給され、前記装置が、
前記少なくとも１つのディジタル等化器の前記出力を感知し、前記ディジタル等化器出力の平均正ピーク値および平均負ピーク値を供給するように構成されたディジタル・ピーク測定装置と、
前記平均正ピーク値および平均負ピーク値の非対称性を繰り返して判定し、前記非対称性のキャンセル・スロープおよび収束キャンセル項の関係を推定するために、前記供給される平均正ピーク値および平均負ピーク値に応答し；前記非対称性および推定されたキャンセル・スロープから、前記収束キャンセル項を繰り返して推定し；前記少なくとも１つのディジタル等化器の前記入力に関する前記少なくとも１つのアナログ−ディジタル変換器からのディジタル読取信号を変更するために前記収束キャンセル項をフィードバックするように構成された制御装置と
を含む装置。
【請求項２】
前記制御装置が、実質的に０の最初の収束キャンセル項を提供するように構成される、請求項１に記載の装置。
【請求項３】
前記ディジタル・ピーク測定装置が、実質的に一定の周波数の継続する読取信号から前記平均正ピーク値および平均負ピーク値を提供するように構成される、請求項２に記載の装置。
【請求項４】
複数の磁気抵抗読取ヘッドからの読取信号のひずみを軽減するために、前記制御装置が、前記複数の磁気抵抗読取ヘッドのそれぞれの読取信号の前記平均正ピーク値および平均負ピーク値に別々に応答するように構成される、請求項３に記載の装置。
【請求項５】
前記非対称性が、式
【数１】
2006351170.tif 000001
に従って判定され、前記推定されるキャンセル・スロープが、式
【数２】
2006351170.tif 000002
に従って判定され、前記キャンセル項が、式
【数３】
2006351170.tif 000003
に従って判定される、請求項２に記載の装置。
【請求項６】
アナログ読取信号をディジタルに変換する少なくとも１つのアナログ−ディジタル変換器と、
入力および出力を有する少なくとも１つのディジタル等化器と、
前記少なくとも１つのディジタル等化器の前記出力を感知し、前記ディジタル等化器出力の平均正ピーク値および平均負ピーク値を供給するように構成されたディジタル・ピーク測定装置と、
前記平均正ピーク値および平均負ピーク値の非対称性を繰り返して判定し、前記非対称性のキャンセル・スロープおよび収束キャンセル項の関係を推定するために、前記供給される平均正ピーク値および平均負ピーク値に応答し；前記非対称性および推定されたキャンセル・スロープから、前記収束キャンセル項を繰り返して推定し；前記少なくとも１つのディジタル等化器の前記入力に関する前記少なくとも１つのアナログ−ディジタル変換器からのディジタル読取信号を変更するために前記収束キャンセル項をフィードバックするように構成された制御装置と
を含む、少なくとも１つの磁気抵抗読取ヘッドの読取信号を受け取るように構成された読取チャネル。
【請求項７】
前記制御装置が、実質的に０の最初の収束キャンセル項を提供するように構成される、請求項６に記載の読取チャネル。
【請求項８】
前記ディジタル・ピーク測定装置が、実質的に一定の周波数の継続する読取信号から前記平均正ピーク値および平均負ピーク値を提供するように構成される、請求項７に記載の読取チャネル。
【請求項９】
複数の磁気抵抗読取ヘッドからの読取信号を受け取るように構成され、前記制御装置が、前記複数の磁気抵抗読取ヘッドのそれぞれの読取信号の前記平均正ピーク値および平均負ピーク値に別々に応答するように構成される、請求項８に記載の読取チャネル。
【請求項１０】
前記非対称性が、式
【数４】
2006351170.tif 000004
に従って判定され、前記推定されるキャンセル・スロープが、式
【数５】
2006351170.tif 000005
に従って判定され、前記キャンセル項が、式
【数６】
2006351170.tif 000006
に従って判定される、請求項７に記載の読取チャネル。
【請求項１１】
少なくとも１つの磁気抵抗読取ヘッドを通って移動される磁気テープ上の信号から導出された読取信号を供給するように構成された前記少なくとも１つの磁気抵抗読取ヘッドと、
前記少なくとも１つの磁気抵抗読取ヘッドを通って磁気テープを移動するように構成された磁気テープ・ドライブ・システムと、
アナログ読取信号をディジタルに変換する少なくとも１つのアナログ−ディジタル変換器と、
入力および出力を有する少なくとも１つのディジタル等化器と、
前記少なくとも１つのディジタル等化器の前記出力を感知し、前記ディジタル等化器出力の平均正ピーク値および平均負ピーク値を供給するように構成されたディジタル・ピーク測定装置と、
前記平均正ピーク値および平均負ピーク値の非対称性を繰り返して判定し、前記非対称性のキャンセル・スロープおよび収束キャンセル項の関係を推定するために、前記供給される平均正ピーク値および平均負ピーク値に応答し；前記非対称性および推定されたキャンセル・スロープから、前記収束キャンセル項を繰り返して推定し；前記少なくとも１つのディジタル等化器の前記入力に関する前記少なくとも１つのアナログ−ディジタル変換器からのディジタル読取信号を変更するために前記収束キャンセル項をフィードバックするように構成された制御装置と
を含む磁気テープ・ドライブ。
【請求項１２】
前記制御装置が、実質的に０の最初の収束キャンセル項を提供するように構成される、請求項１１に記載の磁気テープ・ドライブ。
【請求項１３】
前記ディジタル・ピーク測定装置が、実質的に一定の周波数の継続する読取信号から前記平均正ピーク値および平均負ピーク値を提供するように構成される、請求項１２に記載の磁気テープ・ドライブ。
【請求項１４】
複数の磁気抵抗読取ヘッドを含み、前記制御装置が、前記複数の磁気抵抗読取ヘッドのそれぞれからの読取信号の前記平均正ピーク値および平均負ピーク値に別々に応答するように構成される、請求項１３に記載の磁気テープ・ドライブ。
【請求項１５】
前記非対称性が、式
【数７】
2006351170.tif 000007
に従って判定され、前記推定されるキャンセル・スロープが、式
【数８】
2006351170.tif 000008
に従って判定され、前記キャンセル項が、式
【数９】
2006351170.tif 000009
に従って判定される、請求項１２に記載の磁気テープ・ドライブ。
【請求項１６】
少なくとも１つの磁気抵抗読取ヘッドからの読取信号のひずみを軽減する方法であって、前記読取信号が、アナログ読取信号からディジタル読取信号に変換され、前記ディジタル読取信号が、ディジタル等化され、前記方法が、
前記ディジタル等化された読取信号の平均正ピーク値および平均負ピーク値を繰り返して供給することと、
前記供給される平均正ピーク値および平均負ピーク値に応答して、前記平均正ピーク値および平均負ピーク値の非対称性を繰り返して判定し、前記非対称性のキャンセル・スロープおよび収束キャンセル項の関係を推定することと、
前記非対称性および推定されたキャンセル・スロープから、前記収束キャンセル項を繰り返して推定することと、
前記ディジタル等化するステップの前記ディジタル読取信号を変更するために前記収束キャンセル項のフィードバックを提供することと
を含む方法。
【請求項１７】
最初の収束キャンセル項が、実質的に０である、請求項１６に記載の方法。
【請求項１８】
前記平均正ピーク値および平均負ピーク値が、実質的に一定の周波数の継続する読取信号から供給される、請求項１７に記載の方法。
【請求項１９】
複数の磁気抵抗読取ヘッドからの読取信号のひずみを軽減するために、前記供給される平均正ピーク値および平均負ピーク値に応答する前記ステップ、前記平均正ピーク値および平均負ピーク値の非対称性を繰り返して判定し、前記キャンセル・スロープを推定する前記ステップ、前記収束キャンセル項を繰り返して推定する前記ステップ、および前記収束キャンセル項のフィードバックを提供するステップが、前記複数の磁気抵抗読取ヘッドのそれぞれの読取信号に関する前記ステップを別々に行うことを含む、請求項１８に記載の方法。
【請求項２０】
前記推定される非対称性が、式
【数１０】
2006351170.tif 000010
に従って判定され、前記推定されるキャンセル・スロープが、式
【数１１】
2006351170.tif 000011
に従って判定され、前記キャンセル項が、式
【数１２】
2006351170.tif 000012
に従って判定される、請求項１７に記載の方法。
【請求項２１】
少なくとも１つの磁気抵抗読取ヘッドからの読取信号のひずみを軽減するサービスを展開する方法であって、前記読取信号が、アナログ読取信号からディジタル読取信号に変換され、前記ディジタル読取信号が、ディジタル等化され、前記方法が、
前記ディジタル等化された読取信号の平均正ピーク値および平均負ピーク値を供給する機能を展開することと、
前記供給される平均正ピーク値および平均負ピーク値に応答し、前記平均正ピーク値および平均負ピーク値の非対称性を繰り返して判定し、前記非対称性のキャンセル・スロープおよび収束キャンセル項の関係を推定する機能を展開することと、
前記非対称性および推定されたキャンセル・スロープから、前記収束キャンセル項を繰り返して推定する機能を展開することと、
前記ディジタル等化するステップの前記ディジタル読取信号を変更するために前記収束キャンセル項のフィードバックを提供する機能を展開することと
を含む方法。